(57)【要約】【課題】本発明の目的は、音響振動に対する耐久性を有し、且つ電力による音響増幅だけで無く、機械構造による音響増幅を図り、高効率に音響放射し、比較的低コストで製造可能なスピーカーボックスを提供することである。【解決手段】本発明は、凹部と凸部を交互に反復的に配置して形成された円筒状周面を有する金属製の波状管２と、前記波状管２の一端面又は両端面に密閉状に配置されたスピーカーユニット１２と、前記波状管２の密閉された内部空間からなる共鳴空洞部８を具備し、音響作動時に前記共鳴空洞部８で共鳴させて前記円筒状周面から音響放射させる波状管型スピーカーボックス１と、これとアンプユニットからなる音響装置である。【選択図】図１
2014072571.tif 000002
【特許請求の範囲】
【請求項１】
凹部と凸部を交互に反復的に配置して形成された円筒状周面を有する金属製の波状管と、前記波状管の一端面又は両端面に密閉状に配置されたスピーカーユニットと、前記波状管の密閉された内部空間からなる共鳴空洞部を具備し、音響作動時に前記共鳴空洞部で共鳴させて前記円筒状周面から音響放射させることを特徴とする波状管型スピーカーボックス。
【請求項２】
前記凹部と前記凸部が前記波状管の周方向に形成された凹環と凸環から夫々なり、前記凹環と前記凸環が前記波状管の軸方向に交互に配置される請求項１に記載の波状管型スピーカーボックス。
【請求項３】
前記凹部と前記凸部が前記波状管の軸方向に形成された凹条と凸条から夫々なり、前記凹条と前記凸条が前記波状管の周方向に交互に配置される請求項１に記載の波状管型スピーカーボックス。
【請求項４】
前記波状管の前記一端面に前記スピーカーユニットを配置するとき、前記波状管の他端面を密閉する金属製の底板を配置する請求項１、２又は３に記載の波状管型スピーカーボックス。
【請求項５】
前記波状管の内周面を吸音材で被覆した請求項１〜４のいずれかに記載の波状管型スピーカーボックス。
【請求項６】
前記波状管の前記底板の内面を吸音材で被覆した請求項５に記載の波状管型スピーカーボックス。
【請求項７】
請求項１〜６のいずれかに記載の波状管型スピーカーボックスとアンプユニットを少なくとも含むことを特徴とする音響装置。
【請求項８】
前記波状管型スピーカーボックスは床面又は壁面に配置される請求項７に記載の音響装置。
【請求項９】
前記波状管型スピーカーボックスは天井面に吊下される請求項７に記載の音響装置。
【発明の詳細な説明】
【技術分野】
【０００１】
本発明は、音響装置に用いられるスピーカーボックスに関し、更に詳細には、スピーカーユニットを具備して音響放射するスピーカーボックス及びそれを含む音響装置に関する。
【背景技術】
【０００２】
従来のスピーカーボックスに取付けられるスピーカーユニットは、前方への音響放射（外部音波と云う）が利用され、スピーカーユニットの内部に放射される内部音波は逆位相となるため、有効に利用されない場合が多かった。内部音波を利用する場合は、スピーカーボックスの前面壁にパイプを指し込んで、パイプ出口側で位相逆転を生起するバスレフ型があるのみであった。しかしこのバスレフ型であっても、外部音波と内部音波を同時放射するだけで、スピーカーボックス自体を共鳴箱として利用するものではなかった。このため、スピーカーボックスの殆どは木製であり、この木製箱で逆相の内部音波の外部放出を遮断するに過ぎないのである。もし木製共鳴箱とした場合には、音波圧力により木製共鳴箱は破壊されるに違いない。しかし、木製共鳴箱の前面壁の一部を金属板にしてその開閉圧力を側部の開閉蛇腹で吸収する形式のものが一部開発されていた。この種のスピーカーボックスとして、特開２００７−１４２８７４号公報（特許文献１）があり、この特許文献１には、スピーカーボックス内の空気との共振を利用して低音を増強する構造が記載されている。
更に、従来のスピーカーボックスは、木製やプラスチック等から形成され、音圧などによる振動に弱く、耐久性に難点があった。この課題を解決するため、特開２０１１−１３５４１５号公報（特許文献２）には、内面を円筒形状にすることで定在波の発生を抑制し、スピーカーボックスを異種金属素材で構成することにより、スピーカーボックス自体の共鳴を抑制し、換言すれば共振を防ぐスピーカー装置が記載されている。
【０００３】
図１０は、特許文献１に示される従来のスピーカーボックスの斜視図である。エンクロージャー１２０は、木材などを含む合成材から形成され、前面に薄い板状の振動板１３０が上面板１２０ｄと側面板１２０ｆに取付けられ、この振動板１３０にスピーカー１１０が取付けられ、更に金属板１３１が振動板１３０の下部に設けられている。エンクロージャー１２０の側面板１２０ｆには傾斜部１２０ｇが設けられ、気密性を保持するエッジ１４０は、振動板１３０の外周縁部に接着され、自由に折れ曲がることにより、金属板１３１とそれが取付けられた振動板１３０の下部は振動する。スピーカー１１０が駆動されると、振動がエンクロージャー１２０内の空気に伝搬され、振動板１３０と金属板１３１が振動して音響放射される。このとき、振動板３０の弾性に加えて、エンクロージャー１２０内の空気圧による共振周波数を持つ。金属板１３１には、磁石１３２からなる重りが磁着しており、磁石１３２の数とその取り付け位置とを調節することによって、振動板１３０の共振周波数が調節される。
【０００４】
図１１は、特許文献２に記載される従来のスピーカーボックスの斜視図である。この従来のスピーカーボックスは、主スピーカーボックス２０２と、左右の副スピーカーボックス２０３から構成されている。スタンド２０９を有する主スピーカーボックス２０２は、スピーカーリング２０８を介してスピーカー２０１を取付ける開口部２０６が設けられ、内面が円筒形状である直方体状の構造を有している。主スピーカーボックス２０２の左右には、円筒形状の副スピーカーボックス２０３が接続されている。副スピーカーボックス２０３の端部には、内部に発生する音圧の抜けすぎを抑制するためのバランスキャップ２０５が、バスレフ開口部２０７を有したエンドキャップ２０４と共に取付けられている。主スピーカーボックス２０２と左右の副スピーカーボックス２０３は、円筒形状の内面を有することで定在波の発生が抑制され、夫々が異種金属素材で形成されることにより、振動を抑制し、共振を防いでいる。
【先行技術文献】
【特許文献】
【０００５】
【特許文献１】特開２００７−１４２８７４号公報
【特許文献２】特開２０１１−１３５４１５号公報
【発明の概要】
【発明が解決しようとする課題】
【０００６】
図１０に示すように、特許文献１に記載される従来のスピーカーボックスは、木材からなる箱型の構造を有することから、定在波が発生し、且つ振動に対する耐久性に問題があった。振動板１３０にはエッジ１４０が設けられているが、振動板１３０の上部は上面版１２０ｄや側面版１２０ｆに固定されており、主として振動板１３０の下部が振動することにより、耐久性を一層低下させていた。また、一部共鳴を利用しようとする発想があるが、箱全体を共鳴させる思想は全く無く、もし箱全体を共鳴させるならば音圧による箱の破壊と云う事態に至り、短寿命で終わる弱点が存在する。
【０００７】
特許文献１に記載される箱型のスピーカーボックスに関する課題を解決するため、特許文献２に記載される従来のスピーカーボックスでは、図１１に示すように、主スピーカーボックス２０２と左右の副スピーカーボックス２０３は、定在波の発生を防止する円筒形状の内面を有し、共振を抑制するため、各々が異種金属素材から形成されていた。しかしながら、特許文献２に示される従来のスピーカーボックスは、主スピーカーボックス２０２と左右の副スピーカーボックス２０３の３つのスピーカー部材からなり、主スピーカーボックス２０２と副スピーカーボックス２０３が異なる金属素材から形成されるから、スピーカーボックスの製造コストを増大させていた。更に、主スピーカーボックス２０２から副スピーカーボックス２０３を介して音響放射するため、その強度が減衰し、音響装置としての効率を低減させていた。また、左右の副スピーカーボックス２０３は、バスレフ開口部２０７が設けられており、風切り音が発生し易い構造を有していた。また、外見上では円筒形のスピーカーボックスであるが、このスピーカーボックスを共鳴箱として利用する思想は全くなく、逆に共鳴を抑止することを目的としている。
【０００８】
本発明の目的は、音響振動に対する耐久性を有し、且つ電力による音響増幅だけで無く、積極的に共鳴させて機械構造による音響増幅を図り、高効率に音響放射し、比較的低コストで製造可能なスピーカーボックスを提供することである。
【課題を解決するための手段】
【０００９】
本発明は前記課題を解決する為になされたものであり、本発明の第1形態は、凹部と凸部を交互に反復的に配置して形成された円筒状周面を有する金属製の波状管と、前記波状管の一端面又は両端面に密閉状に配置されたスピーカーユニットと、前記波状管の密閉された内部空間からなる共鳴空洞部を具備し、音響作動時に前記共鳴空洞部で共鳴させて前記円筒状周面から音響放射させる波状管型スピーカーボックスである。
【００１０】
本発明の第２形態は、第１の形態において、前記凹部と前記凸部が前記波状管の周方向に形成された凹環と凸環から夫々なり、前記凹環と前記凸環が前記波状管の軸方向に交互に配置される波状管型スピーカーボックスである。
【００１１】
本発明の第３形態は、第１の形態において、前記凹部と前記凸部が前記波状管の軸方向に形成された凹条と凸条から夫々なり、前記凹条と前記凸条が前記波状管の周方向に交互に配置される波状管型スピーカーボックスである。
【００１２】
本発明の第４形態は、第１、２又は３の形態において、前記波状管の前記一端面に前記スピーカーユニットを配置するとき、前記波状管の他端面を密閉する金属製の底板を配置する波状管型スピーカーボックスである。
【００１３】
本発明の第５形態は、第１〜４のいずれかの形態において、前記波状管の内周面を吸音材で被覆した波状管型スピーカーボックスである。
【００１４】
本発明の第６形態は、第５の形態において、前記波状管の前記底板の内面を吸音材で被覆した波状管型スピーカーボックスである。
【００１５】
本発明の第７の形態は、第１〜６のいずれかの形態の波状管型スピーカーボックスとアンプユニットを少なくとも含む音響装置である。
【００１６】
本発明の第８形態は、第７の形態において、前記波状管型スピーカーボックスは床面又は壁面に配置される音響装置である。
【００１７】
本発明の第９形態は、第７の形態において、前記波状管型スピーカーボックスは天井面に吊下される音響装置である。
【発明の効果】
【００１８】
本発明の第１形態によれば、凹部と凸部を交互に反復的に配置して形成された円筒状周面を有する金属製の波状管と、前記波状管の一端面又は両端面に密閉状に配置されたスピーカーユニットと、前記波状管の密閉された内部空間からなる共鳴空洞部を具備するから、音響作動時に前記共鳴空洞部で共鳴させ、金属製で高強度な波状菅の円筒状周面から音響放射させることができ、音響放射の効率性と耐久性を格段に向上させることができる。即ち、前記波状菅の円筒状周面は、凹部と凸部を交互に反復的に配置され、波状の周面を有し、従来の円筒状スピーカーボックスに比べて表面積が格段に増加するから、音響放射を行う振動面が増大し、高効率に音響放射することができる。前記波状菅の円筒状周面は、湾曲する凹部と凸部が滑らかに一体形成されていることが好ましい。前記凹部と凸部は交互に反復的に配置され、周期性を有するから、重層的に音響放射することができる。
更に、前記波状菅は金属製であり、音響振動により損傷することを殆ど無く、スピーカーボックスの耐久性を格段に向上させることができる。前記波状菅に素材としては、ステンレス、炭素鋼、鉄、銅等から選択された１種の金属を用いることが好ましく、大音響共鳴振動まで可能な高強度を有し、従来の方法で比較的簡単に加工できる種々の金属や合金を用いることが好ましく、製造コストを低減化できると共に、好適な耐久性を付与することができる。特に、ステンレスは、より好適な硬度を有し、耐久性をより向上させることができる。また、このスピーカーボックスは筒体であるから内部に定常波が形成され難く、また凹部・凸部の反復周面であるから、単純円筒よりも遥かに機械的強度が高い性質を有し、大電力により大共鳴が生起しても破断することなく安定して連続共鳴が可能で長寿命性がある。
また、前記スピーカーユニットは、波状管が密閉状に保持されれば、その一端面又は両端面に配置することが可能である。前記スピーカーユニットが波状管の両端面に配置される場合、前記スピーカーユニットは裏側が対向し、それらの音波の位相が同位相に調整されることが好ましく、前記波状管の内部空間で共鳴させることができる。
【００１９】
本発明の第２形態によれば、前記凹部と前記凸部が前記波状管の周方向に形成された凹環と凸環から夫々なり、前記凹環と前記凸環が前記波状管の軸方向に交互に配置されるから、好適な強度を有し、既存の加工技術により波状管を容易に製造することができる。金属製の波状管において、周方向に形成された凹環と凸環が軸方向に交互に配置される構造は、既存の金属管でも用いられており、例えば、波状管部分を湾曲させて使用されている。よって、ステンレスのような高硬度の金属においても、既存の加工方法を用いて波状管を加工することができる。
本発明の第２形態の波状管型スピーカーボックスでは、前記凹環と前記凸環が軸方向に交互に配置された金属製の波状管が高い機械的強度を有する共鳴箱として機能し、振動する表面積の増大により、大音響共鳴振動まで可能な高強度を有している。更に、前記凹環と前記凸環からなる波状管構造を有するから、より内部に定常波が形成され難く、大電力により大共鳴が生起しても破断することなく安定して連続共鳴が可能で長寿命性がある。
【００２０】
本発明の第３形態によれば、前記凹部と前記凸部が前記波状管の軸方向に形成された凹条と凸条から夫々なり、前記凹条と前記凸条が前記波状管の周方向に交互に配置されるから、比較的容易に加工することができ、音響放射する前記円筒状周面の表面積を増大させることができる。前記凹条と凸条は、交互に軸方向に直線状に形成されれば良く、湾曲する凹条と凸条が滑らかに一体形成されていることが好ましい。従って、前記波状菅の円筒状周面における振動面が増大し、高効率に音響放射することができる。
ステンレスのような高硬度の金属においても、比較的容易に波状管を加工することができ、音響振動する波状管の表面積を増大させることができると共に、大音響共鳴振動まで可能な高強度を付与することができる。
【００２１】
本発明の第４形態によれば、前記波状管の前記一端面に前記スピーカーユニットを配置するとき、前記波状管の他端面を密閉する金属製の底板を配置するから、前記前記波状菅の円筒状周面は、前記一端面のスピーカーユニットにより振動して音響放射する。従って、比較的構造や制御が簡単であり、低コストで波状管型スピーカーボックスを製造することができる。
【００２２】
本発明の第５形態によれば、前記波状管の内周面を吸音材で被覆するから、前記前記波状菅の内面は、エンクロージャーとしての機能を有し、スピーカーユニットの裏側から放射された逆位相の音を吸音材で吸収して、音波が打消し合うことを抑制することができる。前記スピーカーユニットや前記前記波状菅の円筒状周面からの音響放射のうち、より低音側の強度が低減することを抑制することができる。吸音材としては、セラミックス、樹脂、ガラスやロックウール等からなる多孔質材又は繊維材などを用いることができる。
【００２３】
本発明の第６形態によれば、前記波状管の前記底板の内面を吸音材で被覆するから、前記波状管の内面を密閉型のエンクロージャーとして機能させることができ、スピーカーユニットの裏側から放射された音を吸音材で吸収して、その影響を遮蔽することができる。
【００２４】
本発明の第７の形態によれば、第１〜６のいずれかの形態の波状管型スピーカーボックスとアンプユニットを少なくとも含む音響装置であるから、アンプユニットにより音響信号をスピーカーユニットに送信し、このスピーカーユニット及び前記波状菅の円筒状周面から音響放射させることができる。従来の円筒状スピーカーボックスに比べて表面積が格段に増加するから、音響放射を行う振動面が増大し、高効率に音響放射することができる。更に、前記波状菅は金属製であり、音響振動により損傷することを殆ど無く、スピーカーボックスの耐久性を格段に向上させることができる。
【００２５】
本発明の第８形態によれば、前記波状管型スピーカーボックスは床面又は壁面に配置されるから、室内や屋外に関わらず、前記波状菅の円筒状周面から高効率に音響放射させることができ、且つ、大音響に対しても好適な強度を有する金属製のスピーカーボックスを提供することができる。
【００２６】
本発明の第９形態によれば、前記波状管型スピーカーボックスは天井面に吊下されるから、上方から広範囲に亘って音響放射することができる。本発明に係る波状管型スピーカーボックスは、高効率に音響放射することができ、金属製であるから、好適な耐久性を有している。
【図面の簡単な説明】
【００２７】
【図１】図１は、本発明に係る波状管型スピーカーボックスの第１実施形態の縦断面図である。
【図２】図２は、本発明の第１実施形態の組立分解斜視図である。
【図３】図３は、本発明の第１実施形態の斜視図である。
【図４】図４は、本発明の第１実施形態の作動状態図である。
【図５】図５は、本発明の第１実施形態の作動状態図である。
【図６】図６は、本発明の第２実施形態の組立分解斜視図であり、凸条と凹条を交互配置した波状管を使用したものである。
【図７】図７は、本発明の波状管型スピーカーボックスを床面に１個載置した場合のスピーカーボックス配置図である。
【図８】図８は、本発明の波状管型スピーカーボックスを床面の左右に２個載置した場合のスピーカーボックス配置図である。
【図９】図９は、本発明の波状管型スピーカーボックスを天井面に１個吊下した場合のスピーカーボックス配置図である。
【図１０】図１０は、特許文献１に示される従来のスピーカーボックスの斜視図である。
【図１１】図１１は、特許文献２に記載される従来のスピーカーボックスの斜視図である。
【発明を実施するための形態】
【００２８】
以下に、本発明に係る波状管型スピーカーボックス及び音響装置を図面に従って詳細に説明する。
図１は、本発明に係る波状管型スピーカーボックス１の第１実施形態の縦断面図であり、凸環２ａと凹環２ｂを交互配置した波状管２を使用したものである。スピーカーユニット１２が取付けられ、波状管型スピーカーボックス１の本体を構成する金属製の波状管２は、複数の凸部である凸環２ａと、複数の凹部である凹環２ｂが、交互に且つ反復的に一体形成されている。凸環２ａ及び凹環２ｂは周方向に形成され、波状管２の軸方向に交互に配置され、凸環２ａの各々と隣接する凹環２ｂの接続面には、傾斜面２ｇが形成される。更に、波状管下端部２ｅは、底板４の底板周辺部４ａと接続される。底板４は、金属製であり、波状管２の下端を閉じ、波状管２を密閉する。
波状管上端部２ｆは、スポット溶接又は全周に亘る溶接により、上端環状板１０の外周と接続され、上端環状板１０には、スピーカーユニット１２が、複数の上ネジ１４により、密閉状に取付けられる。よって、スピーカーユニット１２の音響振動が上端環状板１０を介して波状管２の全体に伝達され、金属製の波状管２が共鳴箱として機能する。底板４とスピーカーユニット１２により密閉された波状管２の内部空間が、共鳴空洞部８を形成する。波状管２の内周面及び底板４の内面は、吸音材６により被覆される。底板４の底板周辺部４ａ付近において、下ネジ５が貫通され、吸音材６を少なくとも部分的に貫通する。尚、サポーター端部１２ｌを上端環状版１０に溶接固定しても良い。
波状管２や底板４の材料としては、ステンレスが強度の観点から好ましいが、音響性を向上させるために、黄銅や洋白なども使用できる。その他に、鉄、銅、ニッケル、アルミニウム及びこれらの合金も使用できる。また、波状管２と底板４が異なる材料から形成されても良い。
【００２９】
図１に示したスピーカーユニット１２においては、サポーター（フレーム）１２ｃに、導磁率が高い鉄から製造され、中心にセンターポールを有するヨーク１２ａと、マグネット１２ｂが固定され、前記センターポールを流通する固定磁場が形成される。また、このサポーター１２ｃには、ダンパー１２ｈ及びエッジ１２ｇを介して、スピーカー振動板であるコーン１２ｆが取付けられる。このコーン１２ｆの中心部には、ボイスコイル１２ｄが前記センターポールの周囲に配置されるように取付けられる。尚、このボイスコイル１２ｄは、コーン１２ｆの中心部に取付けられたセンターキャップ１２ｅにより、埃などによる汚染が防止されている。更に、サポーター１２ｃの軸方向先端の外周は、上端環状板１０に、複数の上ネジ１４により固定される。
スピーカーユニット１２の作動時においては、外部からの電気信号がボイスコイル１２ｄへ流れ、この電気信号により生じた磁場が、ヨーク１２ａ及びマグネット１２ｂの固定磁場と作用し、ボイスコイル１２ａが軸方向に駆動される。この駆動により、コーン１２ｆが駆動され、音声信号が発生する。尚、本実施形態におけるスピーカーユニット１２は、いわゆる動電型（ダイナミック型）であるが、その他にも、静電型（コンデンサ型）や圧電型のスピーカーユニットも使用できる。
スピーカーユニット１２の軸方向前方には、ネット１２ｉが取付けられ、スピーカーユニット１２の保護、音声の拡散及び高域の抑制などの役割を果たす。
【００３０】
図２は、本発明の第１実施形態の組立分解斜視図である。スピーカーユニット１２の周辺に形成された複数のネジ孔１２ｊと、上端環状板１０に形成された複数のネジ孔１０ａを、複数の上ネジ１４が貫通し、これらの上ネジ１４により、スピーカーユニット１２と上端環状板１０が接続固定される。
上端環状板１０は、波状管２の波状管上端部２ｆに溶接され、波状管２の上端開口部を部分的に閉鎖する。
吸音材６は、図２においては、波状管２の下端開口部から挿入されるように描かれている。しかし、吸音材６の挿入以前に、底板４が波状管２に溶接される場合には、吸音材６は波状管２の上端開口部から挿入される。
底板４の底板周辺部４ａと波状管下端部２ｅが溶接されることにより、底板４が波状管２に取付けられる。底板４には、複数のネジ孔４ｂが形成され、これらのネジ孔４ｂを介して複数の下ネジ５が取付けられる。これらの下ネジ５は、底板４に被覆された吸音材６を部分的に貫通し、吸音材６の固定に役立つ。
【００３１】
図３は、本発明の第１実施形態の斜視図である。本実施形態の波状管型スピーカーボックス１においては、ネット１２ｉは、スピーカーユニット１２の前面を完全に遮蔽せず、両側方において音波放出口１２ｋが設置されている。この様にスピーカーユニット１２を部分的に遮蔽することにより、指向性が高い高域音波のみがネット１２ｉにより減衰され、指向性が低い中域音波及び低域音波が音波放出口１２ｋから放射される。これにより、中域及び低域が強調され、聞き易くされた音声が得られる。
また、本実施形態の波状管型スピーカーボックス１は縦置状態で使用され、スピーカーユニット１２は上方に指向している。この縦置使用状態により、音波が上方へ放射され、また波状管２の共鳴により、音波が周方向全体へ放射されるので、広い範囲において音声が伝達される。尚、この波状管型スピーカーボックス１を、横置状態にしても、スピーカーユニット１２からの直接音響放射と、波状管２及び底板４の共鳴による音波放射により、周方向全体への音響放射が得られる。
【００３２】
図４は、本発明の第１実施形態の作動状態図であり、縦断面方向への音波の放射状態を示す。この波状管２における波状の周面からは、矢印ａで示した音波が重層的に放射される。波状管２の周面が凸環２ａと凹環２ｂを有するから、波状管２の円筒状周面は、単純な円筒に比べて表面積が大きい。更に、周期的に繰り返し、凸環２ａと凹環２ｂが形成されるから、例えば、矢印ａａ、ａｂ、ａｃで示すように、波状管２における各凸環２ａと各凹環２ｂの周面から、音波が重層的に放出され、スピーカーユニット１２からの振動を音響放射することができる。更に、波状管２はステレス等から形成され、長期間に亘る断続的、且つ、大きな音響振動に対し、好適な耐久性を有している。また、波状管２の内面には、吸音材６が配設されており、密閉型のエンクロージャーとして機能する。当然のことながら、スピーカーユニット１２からも矢印ｂで示すように音響放射される。従って、波状管２の全表面が高い機械的強度有する共鳴箱として機能し、重層的に且つ広範に亘って音響放射するスピーカーボックスとして使用することが可能である。
【００３３】
図５は、本発明の第１実施形態の作動状態図であり、横断面方向への音波の放射状態を示す。前述のように、音波の波面１６は、矢印ａで示すように、波状管型スピーカーボックス１から放射状に、且つ、重層的に音響放射を行うことができる。よって、高強度の共鳴箱である波状管が用いられるから、スピーカーユニットからだけでなく、波状管型スピーカーボックス１の全体から広範に亘って音響放射することができる。前述のように、波状管型スピーカーボックス１の波状管２は、金属製であり、単純な筒体に比べ表面積を増大させており、周期的な反復構造を有している。よって、共鳴箱として高い機械的強度を有し、大音響を広範囲に亘って放出することができると共に、音響振動により金属製の波状管２が破壊されることは無く、好適な耐久性を有している。
【００３４】
図６は、本発明の第２実施形態の組立分解斜視図であり、凸条と凹条を交互配置した波状管を使用したものである。図２に図示される第１実施形態の波状管型スピーカーボックス１との唯一の相違点は、波状管２の形状である。詳細には、第２実施形態の波状管２においては、凸部である複数の凸条２ｃと、凹部である複数の凹条２ｄが、波状管２の軸方向に形成される。この様に波状管２の凸部及び凹部を形成することにより、波状管２を押出成形等により作製でき、本発明における波状管型スピーカーボックスの量産が容易になるという利点が生じる。
【００３５】
図７は、本発明の波状管型スピーカーボックスを床面に１個載置した場合のスピーカーボックス配置図である。床面２０には、アンプユニット１８及び１個の波状管型スピーカーボックス１が配置される。このアンプユニット１８は、この波状管型スピーカーボックス１に接続される。アンプユニット１８から電気信号が波状管型スピーカーボックス１に伝達され、スピーカーユニット１２においてこの電気信号が音波となり、波状管型スピーカーボックス１から音波が放射される。この波状管型スピーカーボックス１は、周方向全体に音波を放射するので、この利点を生かすために、波状管型スピーカーボックス１を、部屋の中心付近に配置することが好ましい。波状管２の共鳴により、強力な音波が得られるので、広い部屋においても音声を部屋全体に伝達することができる。また、アンプユニット１８の配置位置は、床上である必要は全く無く、波状管型スピーカーボックス１と接続さえしていれば、位置は全く問わない。例えば、棚やテーブル上などに配置されても良く、又は部屋の外部に配置されても良い。
【００３６】
図８は、本発明の波状管型スピーカーボックスを床面の左右に２個載置した場合のスピーカーボックス配置図である。図８においては、床面に２０に、アンプユニット１８及び２個の波状管型スピーカーボックス１が配置され、このアンプユニット１８に、これらの波状管型スピーカーボックス１が接続される。アンプユニット１８の機能は、図７と同様であるので、省略する。図８の配置形態においては、波状管型スピーカーボックス１が２個配置されるので、音声のステレオ再生に利用できる。この様な配置は、広い空間において、高音量でステレオ再生を行うことなどに適している。図７と同様な理由により、これらの波状管型スピーカーボックス１は、部屋などの空間の中心付近に配置されることが好ましい。又、波状管型スピーカーボックス１が３個又はそれ以上配置されてもよい。
【００３７】
図９は、本発明の波状管型スピーカーボックスを天井面に１個吊下した場合のスピーカーボックス配置図である。部屋２２の天井面２２ａから、吊紐２４により、波状管型スピーカーボックス１が吊下される。部屋２２内の壁面付近には、アンプユニット１８が床上に配置される。アンプユニット１８は波状管型スピーカーボックス１と接続され、図７及び８におけるアンプユニット１８と同じ機能を為す。波状管型スピーカーボックス１の利点を生かす為に、波状管型スピーカーボックス１は部屋２２の中心付近に配置されることが好ましい。図９の配置においては、波状管型スピーカーボックス１を床上に載置しないので、部屋２２の中心付近に波状管型スピーカーボックス１を配置しても、通行の障害とならない。従って、部屋２２全体を有効に使用できるという利点がある。尚、吊下する波状管型スピーカーボックス１は、２個又はそれ以上でも良い。又、アンプユニット１８の種類及び配置形態についても、波状管型スピーカー１を制御できる様なものであれば、特に問わない。
【００３８】
本発明は上述の実施形態に限定されるものではなく、本発明の技術的思想を逸脱しない範囲において種々の変形例や設計変更を包含するものであることは云うまでもない。
【産業上の利用可能性】
【００３９】
本発明によれば、凹部と凸部を交互に反復的に配置して形成された円筒状周面を有する金属製の波状管と、前記波状管の一端面又は両端面に密閉状に配置されたスピーカーユニットと、前記波状管の密閉された内部空間からなる共鳴空洞部を具備するから、金属製で高強度な波状菅の円筒状周面から音響放射させることができ、高効率で広範な音響放射と高い耐久性をスピーカーボックスに付与することができる。即ち、前記凹部と凸部は交互に反復的に配置され、周期性を有するから、重層的に音響放射することができる。特に、ステンレスは、より好適な硬度を有し、耐久性をより向上させることができる。
【符号の説明】
【００４０】
１        波状管型スピーカーボックス
２        波状管
２ａ      凸環
２ｂ      凹環
２ｃ      凸条
２ｄ      凹条
２ｅ      波状管下端部
２ｆ      波状管上端部
２ｇ      傾斜面
４        底板
４ａ      底板周縁部
４ｂ      ネジ孔
５        下ネジ
６        吸音材
８        共鳴空洞部
１０      上端環状板
１０ａ    ネジ孔
１２      スピーカーユニット
１２ａ    ヨーク
１２ｂ    マグネット
１２ｃ    サポーター
１２ｄ    ボイスコイル
１２ｅ    センターキャップ
１２ｆ    コーン
１２ｇ    エッジ
１２ｈ    ダンパー
１２ｉ    ネット
１２ｊ    ネジ孔
１２ｋ    音波放出口
１２ｌ    サポーター端部
１４      上ネジ
１６      波面
１８      アンプユニット
２０      床面
２２      部屋
２２ａ    天井面
２４      吊紐
１１０    スピーカー
１２０    エンクロージャー
１２０ｄ  上面板
１２０ｆ  側面板
１２０ｇ  傾斜部
１３０    振動板
１３１    金属板
１３２    磁石
２０１    スピーカー
２０２    主スピーカーボックス
２０３    副スピーカーボックス
２０４    エンドキャップ
２０５    バランスキャップ
２０６    開口部
２０７    バスレフ開口部
２０８    スピーカーリング
２０９    スタンド
【図１】
2014072571.tif 000003
【図２】
2014072571.tif 000004
【図３】
2014072571.tif 000005
【図４】
2014072571.tif 000006
【図５】
2014072571.tif 000007
【図６】
2014072571.tif 000008
【図７】
2014072571.tif 000009
【図８】
2014072571.tif 000010
【図９】
2014072571.tif 000011
【図１０】
2014072571.tif 000012
【図１１】
2014072571.tif 000013